(57)【特許請求の範囲】
【請求項１】
取付孔を穿設した回路基板と、
四角形状の枠体を有し、前記取付孔に挿入される枠足を前記枠体の一方の隅近傍に設け、前記回路基板に実装されて当該枠足を固定するＲＦユニットとを備え、
前記ＲＦユニットと前記回路基板とにインターフェース・コネクタを前記一方の隅と前記四角形状の一方の対角線上で対向する他方の隅に設けて接続固定することを特徴とするＲＦユニット取付装置。
【請求項２】
請求項１記載において、前記一方の隅の近傍にアンテナを接続するアンテナ接続部を配設したことを特徴とするＲＦユニット取付装置。
【請求項３】
請求項１記載において、前記回路基板の前記インターフェース・コネクタを実装した面と反対の面に他の電子部品を実装したことを特徴とするＲＦユニット取付装置。
【請求項４】
請求項１記載において、前記枠体には、四角形状の他方の対角線上の隅近傍に対向して枠足を設けたことを特徴とするＲＦユニット取付装置。
【発明の詳細な説明】
【０００１】
【発明の属する技術分野】
本発明は、ＲＦユニットに複数の枠足を設け、前記回路基板の取付孔に挿入して当該枠足を半田付けして固定するＲＦユニット取付装置に関する。
【０００２】
【従来の技術】
携帯電話等に送受信機であるＲＦユニットが内蔵されているが、例えば、携帯電話の小型化に伴い、内部に備えられ、マイクロコンピュータ部を搭載してあるロジックＰＣＢ（メイン基板）の集積度がアップしてロジックＰＣＢは多層ＰＣＢとなっている。
また、携帯電話内の、ＲＦユニットをロジックＰＣＢに接続、固定する方法として、ＲＦユニットに枠足を４ヶ所設け、ロジックＰＣＢに枠足固定用の取付孔を明けて、ＲＦユニットの枠足を４ヶ所半田付けするのが一般的である。
【０００３】
【発明が解決しようとする課題】
ところで、上記従来技術においては、インターフェース・コネクタが回路上、アンテナに対して反対側に位置されるため、小型化に伴って電子部品の自由度が無くなることから、携帯電話を組み込むとき、ロジックＰＣＢの中央部に位置することになる。しかしながら、ロジックＰＣＢの中央部には配線パターンが密集しており、ロジックＰＣＢの中央に枠足固定用の取付孔を明けることはセット設計を難しくし、また、小型化の障害となっていた。また、携帯電話を落しても衝撃によってロジックＰＣＢからＲＦユニットが脱落しないように対衝撃性を充分に考慮する必要がある。
【０００４】
本発明の第１の課題は、インターフェース・コネクタによって接続面積が増大し接続力も強くなって、枠足が多いほど枠足の寸法バラツキが大きくなることを抑えることができて一層インターフェース・コネクタの嵌合不良を無くすことができ、更にインターフェース・コネクタで兼用して削除した枠足以外にも枠足の本数を減らしても安定して取り付けることができると共に更に一層前記嵌合不良も無くすことができ、また、枠足の設置位置の自由度が大きくなり、小型化を図れるＲＦユニット取付装置を提供することである。
【０００５】
本発明の第２の課題は、アンテナのグランドを強化してノイズを入りにくくしアンテナの特性を安定させられるＲＦユニット取付装置を提供することである。
【０００６】
本発明の第３の課題は、他の電子部品として例えばＬＣＤを使用する携帯電話に適用した場合、携帯電話を落しても衝撃によって回路基板からＲＦユニットが脱落しないような対衝撃性を得られ、かつ一層小型化を図れるＲＦユニット取付装置を提供することである。
【０００７】
【課題を解決するための手段】
上記第１の課題は、取付孔を穿設した回路基板と、四角形状の枠体を有し、前記取付孔に挿入される枠足を前記枠体の一方の隅近傍に設け、前記回路基板に実装されて当該枠足を固定するＲＦユニットとを備え、前記ＲＦユニットと前記回路基板とにインターフェース・コネクタを前記一方の隅と前記四角形状の一方の対角線上で対向する他方の隅に設けて接続固定する第１の手段により達成される。
【０００８】
上記第２の課題は、第１の手段において、前記一方の隅の近傍にアンテナを接続するアンテナ接続部を配設した第２の手段により達成される。
【０００９】
上記第３の課題は、第１の手段において、前記回路基板の前記インターフェース・コネクタを実装した面と反対の面に他の電子部品を実装した第３の手段により達成される。
上記第１の課題は、第１の手段において、前記枠体には、四角形状の他方の対角線上の隅近傍に対向して枠足を設けた第４の手段により達成される。
【００１０】
【発明の実施の形態】
以下、本発明の実施の形態について説明する。
図１（ａ），（ｂ）は本発明に係るＲＦユニット取付装置の一実施の形態の概略を示す説明図、図２は図１に示すＲＦユニット取付装置の分解斜視図、図３はＲＦユニットの底面図、図４はＲＦユニットをマザー基板に実装した状態を示す一部切欠き側面図、図５（ａ），（ｂ）はＲＦユニットの枠足の変形例を示す説明図である。
【００１１】
以下、本発明に係るＲＦユニット取付装置を形態電話に適用した例を説明する。
図１において、１は携帯電話で、この携帯電話１はケース２内にロジックＰＣＢ（メイン基板）３が取り付けられ、このロジックＰＣＢ３には斜線を施した部分にＬＣＤ４が実装されている。そして、このＬＣＤ４はケース２の透光部からその表示面が見えるようになっている。また、“１”，“２”，“３”などを表示したプッシュボタン５が外部から操作可能にロジックＰＣＢ３に実装されている。
６は送受信機であるＲＦユニットで、ＲＦユニット６はロジックＰＣＢ３のＬＣＤ４と反対の面に対応して実装され、アンテナ７に接続されている。また、後述するインターフェース・コネクタを介してロジックＰＣＢ３に接続されている。
【００１２】
このＲＦユニット６は、図２〜図４に示すように、四角箱状の枠体８を有し、枠体８の上下開口部分には上下カバー９，１０がそれぞれ嵌装されて塞がれている。１１は内蔵されたＲＦ回路基板、１２はＲＦ回路基板１１に形成されたアンテナ７との接続部、１３は接続部１２，１２…を露出させるために上下カバー９，１０に形成された切欠き部である。
この枠体８には、図３及び図４に示すように、両側板の両端寄りに１ヶ所を除いて枠足１４，１４，１４が形成されている。枠足１４，１４，１４にはロジックＰＣＢ３から下カバー１０まで所定の隙間が形成されるように段部１４ａがそれぞれ形成されている。そして、この枠足が形成されていないＲＦユニット６の隅は、図３に示すように、アンテナ接続部１２，１２の一方を対角線の一方とし、前記対角線の他方の隅に前記インターフェース・コネクタの一方のコネクタ１５がＲＦ回路基板１１に実装されて配設されている。このコネクタ１５を露出させるために下カバー１０に切欠き部１６が形成されている。
【００１３】
また、アンテナ接続部１２，１２の近傍に配設した枠足１４はアンテナ７のアース端子としてある。これにより、アンテナ７のグランドを強化してノイズを入りにくくしアンテナの特性を安定させられる。
【００１４】
ロジックＰＣＢ３には、枠足１４，１４，１４を挿入する枠足固定用の取付孔１８，１８，１８が対応する位置に明けられている。また、ロジックＰＣＢ３には、ＲＦユニット６のインターフェース・コネクタの一方のコネクタ１５と嵌合されるインターフェース・コネクタの他方のコネクタ１７が実装されており、ＲＦ回路基板１１の回路とロジックＰＣＢ３の回路とが接続される。
【００１５】
インターフェース・コネクタ１５，１７は、図４に示すように、他の３つの枠足１４，１４，１４の段部１４ａがロジックＰＣＢ３上に突き当たる位置で、突き当たるようにインターフェース・コネクタ１５，１７のそれぞれの高さが設定されている。これにより、ＲＦユニット６をロジックＰＣＢ３に対して平行にあるいは所定の配置で安定して取り付けることができる。
１９はロジックＰＣＢ３に実装されたマイクロコンピュータ部、２０はバッテリーである。
【００１６】
なお、上述した実施の形態では、枠足１４をロジックＰＣＢ３の取付孔１８に挿入したが、上述したように枠足の１つをインターフェース・コネクタ１５，１７による接続で兼用したことからインターフェース・コネクタによって接続面積が増大し接続力も強くなるので、３つの枠足を本数を減らすこともできる。この際、例えば、図５に示すように、下部で屈曲形成しネジ挿通穴２１を有する枠足２２を１つだけとし、かつロジックＰＣＢ３にはネジ２３を捩じ込む孔２４を形成するようにしてもよい。
【００１７】
このような前記実施の形態にあっては、取付孔１８を穿設したロジックＰＣＢ３と、取付孔１８に挿入される複数の枠足１４を設け、ロジックＰＣＢ３に実装されて当該枠足１４を半田付けして固定するＲＦユニット６とを備え、ＲＦユニット６とロジックＰＣＢ３とにインターフェース・コネクタ１５，１７を設けて接続固定するとともに、複数の枠足１４の１つに代えて当該インターフェース・コネクタ１５を枠足１４として兼用させたため、インターフェース・コネクタ１５，１７によって接続面積が増大し接続力も強くなるので、枠足１４が多いほど枠足１４の寸法バラツキが大きくなることを抑えることができて一層インターフェース・コネクタ１５，１７の嵌合不良を無くすことができ、更にインターフェース・コネクタ１５，１７で兼用して削除した枠足１４以外にも枠足１４の本数を減らしても安定して取り付けることができると共に更に一層前記嵌合不良も無くすことができ、また、枠足１４の設置位置の自由度が大きくなり、小型化を図れる。
【００１８】
また、前記実施の形態にあっては、ＲＦユニット６は四角箱形状で、その底面の対角線の一方の隅にアンテナ接続部１２を配設するとともに当該アンテナ接続部１２の近傍に枠足１４を配設し、対角線の他方の隅にインターフェース・コネクタ１５を配設したため、アンテナ７のグランドを強化してノイズを入りにくくしアンテナ７の特性を安定させられる。
【００１９】
また、前記実施の形態にあっては、ロジックＰＣＢ３のインターフェース・コネクタ１７を実装した面と反対の面に対応して他の電子部品として例えばＬＣＤ４を実装したため、ＬＣＤ４を使用する携帯電話に適用した場合、携帯電話を落しても衝撃によってロジックＰＣＢ３からＲＦユニット６が脱落しないような対衝撃性を得られ、かつ一層小型化を図れる。
【００２０】
【発明の効果】
請求項１、４記載の発明によれば、枠足の１つをインターフェース・コネクタにて兼用させたため、インターフェース・コネクタによって接続面積が増大し接続力も強くなるので、枠足が多いほど枠足の寸法バラツキが大きくなることを抑えることができて一層インターフェース・コネクタの嵌合不良を無くすことができ、更にインターフェース・コネクタで兼用して削除した枠足以外にも枠足の本数を減らしても安定して取り付けることができると共に更に一層前記嵌合不良も無くすことができ、また、枠足の設置位置の自由度が大きくなり、小型化を図れる。
【００２１】
請求項２記載の発明によれば、請求項１記載の発明による作用効果に加えて、アンテナのグランドを強化してノイズを入りにくくしアンテナの特性を安定させられる。
【００２２】
請求項３記載の発明によれば、請求項１記載の発明による作用効果に加えて、ロジックＰＣＢにはインターフェース・コネクタ面の反対面に他の電子部品が実装されているので、他の電子部品として例えばＬＣＤを使用する携帯電話に適用した場合、携帯電話を落しても衝撃によって回路基板からＲＦユニットが脱落しないような対衝撃性を得られ、かつ一層小型化を図れる。
【図面の簡単な説明】
【図１】（ａ），（ｂ）は本発明に係るＲＦユニット取付装置の一実施の形態の概略を示す説明図である。
【図２】図１に示すＲＦユニット取付装置の分解斜視図である。
【図３】ＲＦユニットの底面図である。
【図４】ＲＦユニットをマザー基板に実装した状態を示す一部切欠き側面図である。
【図５】（ａ），（ｂ）はＲＦユニットの枠足の変形例を示す説明図である。
【符号の説明】
３  ロジックＰＣＢ
４  ＬＣＤ
６  ＲＦユニット
７  アンテナ
１２  接続部
１４  枠足
１５，１７  インターフェース・コネクタ
１８  取付孔
【図１】
0003549345.tif 000002
【図２】
0003549345.tif 000003
【図３】
0003549345.tif 000004
【図４】
0003549345.tif 000005
【図５】
0003549345.tif 000006